(57)【要約】【課題】大便器の施工に際してその作業負担を軽減可能な構造を提供する。【解決手段】ある態様の大便器は、便鉢部につながる排水管部９を有する便器本体２と、便器本体２に供給する洗浄水を貯水するためのタンク４と、タンク４に設けられ、タンク４内の洗浄水を汲み上げて送り出すポンプと、ポンプに設けられ、ポンプにより送り出された洗浄水を導出する流出管５８と、便器本体２に設けられて流出管５８と接続され、流出管５８から導入された洗浄水を便器本体２の通水路に導出する配管と、タンク４と組み付けられ、排水管部９が接続される排水ソケット１０と、を備える。排水管部９および配管の各接続口が下方に開口し、排水ソケット１０および流出管５８の各接続口が上方に開口するように構成されている。【選択図】図１３
2015175146.tif 000002
【特許請求の範囲】
【請求項１】
便鉢部につながる排水管部を有する便器本体と、
前記便器本体に供給する洗浄水を貯水するためのタンクと、
前記タンクに設けられ、前記タンク内の洗浄水を汲み上げて送り出すポンプと、
前記ポンプに設けられ、前記ポンプにより送り出された洗浄水を導出する流出管と、
前記便器本体に設けられて前記流出管と接続され、前記流出管から導入された洗浄水を前記便器本体の通水路に導出する配管と、
前記タンクと組み付けられ、前記排水管部が接続される排水ソケットと、
を備え、
前記排水管部および前記配管の各接続口が下方に開口し、
前記排水ソケットおよび前記流出管の各接続口が上方に開口するように構成されていることを特徴とする水洗式大便器。
【請求項２】
前記タンクは、溢れる洗浄水を排出するためのオーバーフロー接続部を有し、
前記配管は、前記流出管と接続される給水配管と、前記オーバーフロー接続部と接続される接続管とを含み、
前記給水配管および前記接続管の各接続口が下方に開口し、
前記流出管および前記オーバーフロー接続部の各接続口が上方に開口するように構成されていることを特徴とする請求項１に記載の水洗式大便器。
【請求項３】
水洗式大便器の便器本体に供給する洗浄水を貯水するためのタンクと、
前記タンクに設けられ、前記タンク内の洗浄水を汲み上げて送り出すポンプと、
前記ポンプに設けられ、前記ポンプにより送り出された洗浄水を導出する流出管と、
を備え、
前記流出管の接続口が上方に開口するように構成されていることを特徴とする給水ユニット。
【発明の詳細な説明】
【技術分野】
【０００１】
本発明は水洗式大便器に関し、特に便器本体に洗浄水を供給する給水ユニットの構造に関する。
【背景技術】
【０００２】
水洗式大便器の施工の際には一般に、床面や壁面に設置された排水管と便器本体とを直接は接続せず、それらの間に排水ソケットを介在させることが多い（例えば特許文献１参照）。排水ソケットを適切に選定することで、便器本体の排水管部と排水管との位置ずれを吸収できるからである。特にリフォーム等で新モデルの大便器を設置するような場合、既設の排水管の位置がその大便器の設計に合わないことがある。このような場合に排水ソケットが有効に機能する。
【０００３】
このような水洗式大便器には一般に、貯水タンクが設けられる。このタンクにはポンプが接続される。使用者により洗浄スイッチが入力されると、このポンプが駆動してタンク内の洗浄水が加圧されて便鉢部に送り出され、洗浄が行われる。
【先行技術文献】
【特許文献】
【０００４】
【特許文献１】特開２００８−８２０３２号公報
【発明の概要】
【発明が解決しようとする課題】
【０００５】
ところで、このような水洗式大便器を施工する場合、便器本体にタンクを組み付ける一方、その便器本体を排水ソケットに接続する必要がある。便器本体とタンクとの組み付けに際しては、上述したポンプとの配管接続が必要となる。また、便器本体と排水ソケットとの接続に際しては、便器本体の排水管部を排水ソケットの接続部に接続する必要があるが、その際、重量のある便器本体を持ち上げなければならない。このようなことから、その施工作業には労力と手間がかかるといった問題があった。
【０００６】
本発明は、このような課題に鑑みてなされ、その目的の一つは、大便器の施工に際してその作業負担を軽減可能な構造を提供することにある。
【課題を解決するための手段】
【０００７】
本発明のある態様の水洗式大便器は、便鉢部につながる排水管部を有する便器本体と、便器本体に供給する洗浄水を貯水するためのタンクと、タンクに設けられ、タンク内の洗浄水を汲み上げて送り出すポンプと、ポンプに設けられ、ポンプにより送り出された洗浄水を導出する流出管と、便器本体に設けられて流出管と接続され、流出管から導入された洗浄水を便器本体の通水路に導出する配管と、タンクと組み付けられ、排水管部が接続される排水ソケットと、を備える。排水管部および配管の各接続口が下方に開口し、排水ソケットおよび流出管の各接続口が上方に開口するように構成されている。
【０００８】
この態様によると、排水管部および配管の各接続口が下方に開口し、排水ソケットおよび流出管の各接続口が上方に開口するようにされている。すなわち、便器本体側の各接続口が下方に開口し、タンク側の各接続口が上方に開口するようにされている。このため、便器本体をタンクに対して上方から組み付けるだけでそれらの配管接続をほぼ完了させることができる。すなわち、便器本体の設置作業が便器本体とタンクとの組み付け作業を兼ねることになり、作業効率を向上させることができる。
【０００９】
より具体的には、タンクは、溢れる洗浄水を排出するためのオーバーフロー接続部を有してもよい。配管は、流出管と接続される給水配管と、オーバーフロー接続部と接続される接続管とを含んでもよい。給水配管および接続管の各接続口が下方に開口し、流出管およびオーバーフロー接続部の各接続口が上方に開口するように構成されていてもよい。
【００１０】
この態様によると、オーバーフローのための構造を有するタンクについても、便器本体との組み付けの作業性を向上させることができる。すなわち、便器本体側の排水管部、給水配管および接続管のいずれの接続口も下方に開口し、これらに対応するタンク側の排水ソケット、流出管およびオーバーフロー接続部のいずれの接続口も上方に開口するようにされている。このため、便器本体をタンクに対して上方から組み付けるだけでそれらの配管接続をほぼ完了させることができる。
【００１１】
本発明の別の態様は、給水ユニットである。この給水ユニットは、水洗式大便器の便器本体に供給する洗浄水を貯水するためのタンクと、タンクに設けられ、タンク内の洗浄水を汲み上げて送り出すポンプと、ポンプに設けられ、ポンプにより送り出された洗浄水を導出する流出管と、を備える。流出管の接続口が上方に開口するように構成されている。
【００１２】
このような給水ユニットと排水ソケットとを組み付けておけば、便器本体を給水ユニットに対して上方から組み付けるだけでそれらの配管接続をほぼ完了させることができ、その組み付け作業の作業性を向上させることができる。
【発明の効果】
【００１３】
本発明によれば、大便器の施工に際してその作業負担を軽減可能な構造を提供することができる。
【図面の簡単な説明】
【００１４】
【図１】第１実施形態に係る大便器を上方からみた斜視図である。
【図２】大便器の背面図である。
【図３】大便器の中央縦断面図である。
【図４】便器本体を表す図である。
【図５】タンクを上方からみた斜視図である。
【図６】タンクの外観を表す図である。
【図７】タンクの内部形状を表す断面図である。
【図８】便器本体とタンクとを組み付けた状態を底面側からみた図である。
【図９】排水ソケットの構成を示す図である。
【図１０】タンク下部の構造を詳細に表す図である。
【図１１】タンクと排水ソケットとの組みつけ構造を詳細に表す図である。
【図１２】大便器の施工方法を表す図である。
【図１３】大便器の施工方法を表す図である。
【図１４】第２実施形態に係る大便器の構造およびその施工構造を表す断面図である。
【図１５】排水ソケットの構成を示す図である。
【図１６】第３実施形態に係る大便器の構造およびその施工構造を表す断面図である。
【図１７】排水ソケットの構成を示す図である。
【図１８】大便器の施工方法を表す図である。
【図１９】第４実施形態に係る連結ユニットの構造を表す斜視図である。
【図２０】第５実施形態に係る連結ユニットの構造を下方からみた斜視図である。
【図２１】第６実施形態に係るタンクを表す斜視図である。
【図２２】変形例に係る連結ユニットを表す斜視図である。
【発明を実施するための形態】
【００１５】
以下、本発明の実施形態を、図面を参照して詳細に説明する。なお、以下の説明においては便宜上、図示の状態を基準に各構造の位置関係を表現することがある。
【００１６】
［第１実施形態］
図１は、第１実施形態に係る大便器をその前方斜め上方からみた斜視図である。図２は、大便器の背面図である。図３は、大便器の中央縦断面図である。説明の便宜上、各図には大便器の便座、便蓋、局部洗浄装置、サイドパネル等が取り外された状態が示されている。以下、便座に着座する大便器の利用者からみた位置関係に基づいて大便器構造の前後の位置関係を表現することがある。
【００１７】
図１に示すように、本実施形態の大便器１は、水洗式大便器であり、陶器製の便器本体２に樹脂製のタンク４を組み付けて構成される。便器本体２の後方には、図示しない局部洗浄装置や弁等の各種機能部品、便器本体２とタンク４とを接続するための配管６等が設けられている。タンク４の上端部には、内部の洗浄水を汲み上げるためのポンプ８が一体に設けられている。
【００１８】
図２に示すように、便器本体２には後方に突出（露出）するように排水管部９が設けられている。排水管部９は、排水ソケット１０を介してトイレ（施工対象）の排水管に接続される。タンク４は、その前半部が排水ソケット１０を迂回する形で便器本体２の下部領域に差し込まれ、後半部が便器本体２の後部に沿ってＵ字状に立設される態様で組み付けられる。
【００１９】
図３にも示すように、便器本体２は、汚物を受ける便鉢部１２と、便鉢部１２の底部から延びる排水管部９を有する。便鉢部１２は、封水面１３よりも下方に流出口１４を有している。便鉢部１２の左側上部には、その周縁に沿って旋回流を生成するためのリム通水路１６が形成されている。一方、便鉢部１２の右側上部には、その旋回流を流出口１４に向けて落とし込む流れを生成するための後述する落とし込み流路１８が形成されている（図４（ａ）参照）。排水管部９は、流出口１４から後方に向けて斜め下方に延び、続いて斜め上方に延び、続いて鉛直方向下方に延びる湾曲形状を有する。すなわち、排水管部９の先端開口部（排水ソケット１０との接続口）は、下方に向けて開口している。排水管部９は、排水ソケット１０の上端部に開口した接続口２０に先端部が挿入されるようにして接続される。排水ソケット１０の下端は、床面２２に引き出された排水管２４に接続される。
【００２０】
便器本体２の下方は、タンク４および排水ソケット１０を収容する収容空間２５を形成している。すなわち、便器本体２の側壁部に囲まれた空間において、便鉢部１２および排水管部９の下方領域と後方領域のスペースを有効利用する形でタンク４が設置される。タンク４は、その外形に沿った断熱材２６により覆われており、結露が防止されている。
【００２１】
タンク４は、排水管部９の下面と相補形状の凹部２８を上面に有し、便器本体２の下方空間に良好に収納される外形状に形成されている。また、詳細については後述するが、タンク４は、排水管部９の下流端部および排水ソケット１０を取り囲むように平面視環状に形成され、後部が便器本体２の後壁２９（図４参照）に沿って背面視Ｕ字状に立設される形状を有する（図２参照）。このような構成により、タンク４の容量を大きく確保しつつ、大便器１をローシルエットに構成できるようにしている。
【００２２】
図４は、便器本体を表す図である。（ａ）は平面図であり、（ｂ）は右側面図であり、（ｃ）は底面図であり、（ｄ）は背面図である。図示のように、便器本体２は、平面視半楕円状をなし、平坦な後壁２９の中央部から排水管部９が突出（露出）し、鉛直方向下方に延出している。排水管部９のやや上方にはＴ字状の配管６が配設されている。
【００２３】
配管６は、タンク４に接続される給水管部３０と、給水管部３０から左右に分岐した分岐管部３２，３４を有する。分岐管部３２，３４は樹脂材からなり、給水管部３０は弾性体（ゴム等の軟質材）からなる。後壁２９の左右上部には配管接続用の孔３６，３８が設けられており、分岐管部３２は左側の孔３６に接続され、リム通水路１６に連通する。一方、分岐管部３４は、右側の孔３８に接続され、落とし込み流路１８に連通する。給水管部３０の先端（上流側端部）は下方に向けて開口している。また、分岐管部３４には、後述する吸気部につながる接続管４０が連設されている。接続管４０は、弾性体（ゴム等の軟質材）からなる。接続管４０は、孔３８と反対側に延出し、その先端は下方に向けて開口している。
【００２４】
便器本体２の底面には、タンク４を嵌合させるための凹部４２が形成されている。この凹部４２は平面視半楕円状（Ｕ字状）をなし、所定深さを有する。凹部４２の底面には排水管部９の一部が隆起しており、タンク４の凹部２８と相補形状となっている。凹部４２は、上述した収容空間２５を形成する。
【００２５】
図５は、タンクを上方からみた斜視図である。図６は、タンクの外観を表す図である。（ａ）は正面図であり、（ｂ）は左側面図であり、（ｃ）は右側面図である。（ｄ）は背面図であり、（ｅ）は平面図であり、（ｆ）は底面図である。図７は、タンクの内部形状を表す断面図である。（ａ）は図６（ａ）のＡ−Ａ矢視断面図であり、（ｂ）は図６（ａ）のＢ−Ｂ矢視断面図であり、（ｃ）は図６（ａ）のＣ−Ｃ矢視断面図である。（ｄ）は図６（ｅ）のＤ−Ｄ矢視断面図であり、（ｆ）は図６（ｅ）のＥ−Ｅ矢視断面図である。
【００２６】
図５に示すように、タンク４は、平面視Ｕ字状の本体４４の後部に背面視Ｕ字状の流入出部４６を連設して構成されている。本体４４と流入出部４６とは合成樹脂材にて一体成形されており、タンク４の下部は内部が環状に連通している。詳細については後述するが、本体４４の内部には前部貯留部４４ａおよび側部貯留部４４ｂ，４４ｄが形成されており、これらが側部貯留部４４ｂ→前部貯留部４４ａ→側部貯留部４４ｄの順に連通して平面視Ｕ字状の本体連通路４５ａを形成している。一方、流入出部４６の下部には左右を連通させる後部貯留部４４ｃが設けられている。後部貯留部４４ｃは、本体連通路４５ａよりも相対的に低位置にある。そして、その本体連通路４５ａと後部貯留部４４ｃとが、流入出部４６の下部にて上下方向の段差を有する形で連通されることにより、平面視環状の環状通路４５が形成されている。この環状通路４５の内壁により形成されるタンク４の下部に形成される環状孔が、排水ソケット１０を上下方向に挿通させる挿通孔６４として機能する。タンク４の後部右側が上方から洗浄水を導入する導入部４７を構成し、後部左側が上方へ洗浄水を導出する導出部４８を構成する。
【００２７】
タンク４の後部右側の上部には、洗浄水を導入するための流入管５２と、タンク４内の水位を検知するフロートスイッチ５４と、タンク４の内外に空気を吸排気可能な吸排気部５５と、タンク４から溢れた水を便器本体２に排出するためのオーバーフロー接続部５６とが設けられている。流入管５２は、給水源に連通した図示しない導水管に接続される。オーバーフロー接続部５６は、上方に向けて開口し、配管６の接続管４０に連結される。
【００２８】
一方、タンク４の後部左側の上部には、内部の洗浄水を汲み上げて送り出すためのポンプ８と、ポンプ８により送り出された洗浄水を便器本体２に向けて導出するための流出管５８とが設けられている。ポンプ８は、導出部４８の上面に一体に設けられている。流出管５８は、樹脂材からなり、ポンプ８と一体に設けられている。流出管５８は、上方に向けて開口し、配管６の給水管部３０に連結される。タンク４の後部右側と後部左側とは、空気抜き用のホース６０により接続されている。本実施形態において、タンク４、ポンプ８および流出管５８は、便器本体２に向けて洗浄水を供給する「給水ユニット」を構成する。
【００２９】
流入管５２を介して洗浄水が導入されると、タンク４の水位が上昇する。このとき、その水位が設定水位に到達すると、フロートスイッチ５４が検知信号を出力する。これにより、図示しない導水管に設けられた開閉弁が閉弁して洗浄水の供給を停止させる。これにより、タンク４は設定量の洗浄水を貯水することができる。このようにタンク４に洗浄水が流入して水位が上昇する際、タンク４の左側後部の上方に空気が集まるが、その空気はホース６０を介してタンク４の右側後部に導出され、吸排気部５５を介して排気される。これにより、タンク４内に洗浄水を良好に貯水することができる。吸排気部５５は、また、流出管５８から洗浄水を流出させる際、空気をタンク４内に吸気する。これにより、タンク４は、貯水した洗浄水を流出管５８から良好に流出させることができる。
【００３０】
ポンプ８の駆動により、タンク４内の洗浄水が流出管５８を介して配管６に導出される。このとき、洗浄水は、一方で分岐管部３２を介してリム通水路１６に導かれる。それにより、便鉢部１２にリム通水路１６に沿って前方に流れる洗浄水を吐水することができる。また、洗浄水は、他方で分岐管部３４を介して落とし込み流路１８に導かれる。それにより、便鉢部１２の後部表面に沿って流れ落ちる洗浄水を吐水することができる。
【００３１】
図６（ａ）〜（ｃ）に示すように、本体４４の下部には、下方に向けて段階的に幅広となる２段の凹状（アーチ状）に形成された段付挿通部６２が設けられている。この挿通部６２を設けたことで、後述するリフォームトイレ仕様の排水ソケットに対してもタンク４を容易に組み付け可能とされ、タンク４の汎用性が高められている。
【００３２】
図６（ｄ）〜（ｆ）に示すように、導入部４７と導出部４８とは下部にて連結されている。図６（ｆ）に示すように、タンク４の下部は、前部貯留部４４ａ、側部貯留部４４ｂ、後部貯留部４４ｃ、側部貯留部４４ｄが環状に一体に設けられ、内部で環状に連通している。後部貯留部４４ｃは、導入部４７および導出部４８と上下方向に一体に設けられ、内部で上下に連通している。このような構成により、タンク４の後半部中央には、貯留部４４ａ〜４４ｄにより取り囲まれる挿通孔６４が形成されている。本実施形態において、前部貯留部４４ａが「第１タンク部」として機能し、後部貯留部４４ｃが「第２タンク部」として機能し、側部貯留部４４ｂ，４４ｄが「第３タンク部」として機能する。また、挿通孔６４が「挿通部」として機能する）。
【００３３】
このため、排水ソケット１０の上方からタンク４を組み付けることが可能となる。このとき、排水ソケット１０の接続口２０が挿通孔６４に挿通され、タンク４の組み付け後も上方に向けて露出されるようになる。また、タンク４が排水ソケット１０を取り囲む形状とすることによりデッドスペースが少なくなるため、便器本体２の下部および後部をスペースを最大限に利用することができ、タンク４を大きく構成することができる。
【００３４】
このような構成により、図７（ａ）〜（ｅ）に示すように、タンク４において、下半部にてつながる環状の通路と、後半部にてつながるＵ字状の通路とが一つながりとなる。すなわち、タンク４の下半部において上述した環状通路４５が形成され（図５参照）、タンク４の後半部においては流入出部４６の内方にＵ字状通路５１が形成される（図７（ｅ）参照）。そして、これら環状通路４５とＵ字状通路５１とが連通する。このような構成により、洗浄水の貯留するための内部スペースを大きく確保することができる。
【００３５】
なお、図７（ｅ）に示すように、導出部４８の内部には上下に延在する吸水管４９が設けられている。吸水管４９の上端部はポンプ８を介して流出管５８に連通している。一方、吸水管４９の下端部には逆止弁５０が設けられている。ポンプ８が駆動されると逆止弁５０が開弁し、タンク４内の洗浄水が吸水管４９を介して汲み上げられるようになる。
【００３６】
図８は、便器本体２とタンク４とを組み付けた状態を底面側からみた図である。図示のように、タンク４の本体４４が便器本体２の凹部４２に収まるように両者が組み付けられる。このとき、図示のように、本体４４の外形と凹部４２の形状との間には若干の隙間をもたせ、両者の組み付けが容易となるようにしている。
【００３７】
図９は、排水ソケット１０の構成を示す図である。（ａ）は正面図であり、（ｂ）は右側面図であり、（ｃ）は平面図であり、（ｄ）は底面図である。（ｅ）は、排水ソケット１０とタンク４とが取り付けられた状態を底面側からみた図である。図９（ａ）〜（ｄ）に示すように、排水ソケット１０は、排水管部９の下流端を受け入れるソケット本体７０と、排水管２４に接続されるとともに床面２２に固定される取付部７２と、ソケット本体７０と取付部７２とを連結するアジャスタ部７４とを有する（図３参照）。
【００３８】
ソケット本体７０は、合成樹脂材からなる配管部７６の上端部に円筒状の接続部７８を組み付けて構成される。接続部７８は弾性体（例えばゴム）からなり、上述した接続口２０が形成されている。配管部７６の側壁には補強用のリブ７７が複数設けられている。ソケット本体７０は、後方にやや湾曲した形状を有する。
【００３９】
一方、取付部７２は合成樹脂材からなり、下方と側方にそれぞれ開口している。取付部７２の下端にはフランジ部８０が設けられ、床面２２に対して安定に固定できるようにされている。取付部７２の側面とフランジ部８０との間には、補強用のリブが複数設けられている。
【００４０】
アジャスタ部７４は、合成樹脂製の筒体からなり、床面２２に対して平行に設置される。アジャスタ部７４は、その一端がソケット本体７０の下端開口部に連結され、他端が取付部７２の側部開口部に挿通されるようにして連結される。アジャスタ部７４の取付部７２側の端部を切り落とすことにより、ソケット本体７０と取付部７２との間隔を適宜調整することができる。
【００４１】
ソケット本体７０の下端には、タンク４との位置決め用の嵌合部８２が設けられている。嵌合部８２は、左右に延在する板状体からなり、その中央部がやや後方に湾曲した形状を有する。この湾曲形状は、タンク４の下部側面と相補形状となっている。すなわち、図９（ｅ）に示すように、タンク４における流入出部４６の下端部の前面形状が、嵌合部８２の形状とほぼ対応する。このため、タンク４を排水ソケット１０に組み付けると、排水ソケット１０に対するタンク４の位置、つまりタンク４の施工位置が自ずと定まるようになる。嵌合部８２には、排水ソケット１０を床面に固定する際に図示しないねじが挿通されるねじ挿通孔８４が設けられている。
【００４２】
なお、図９（ｃ）および（ｅ）に示すように、タンク４における段付挿通部６２の上部の幅ｗ３が、排水ソケット１０におけるアジャスタ部７４の最大幅ｗ１よりも大きくされている（ｗ３＞ｗ１）。また、タンク４における段付挿通部６２の下部の幅ｗ４が、排水ソケット１０におけるフランジ部８０の最大幅ｗ２よりも大きくされている（ｗ４＞ｗ２）。このため、アジャスタ部７４の長さが変更されたとしても、アジャスタ部７４やフランジ部８０がタンク４に干渉することがない。すなわち、タンク４は、排水ソケット１０におけるアジャスタ部７４の長さ変更を許容するため汎用性が高く、特にリフォームトイレ仕様に好適である。
【００４３】
図１０は、タンク下部の構造を詳細に表す図である。（ａ）はタンク４の中央矢視断面図であり、図７（ａ）に対応する。（ｂ）はタンク４の正面図であり、図６（ａ）に対応する。（ｃ）は底面図であり、図６（ｆ）に対応する。図１１は、タンク４と排水ソケット１０との組みつけ構造を詳細に表す図である。（ａ）は図１０（ａ）に対応し、（ｂ）は図１０（ｂ）に対応し、（ｃ）は図１０（ｃ）に対応する。なお、各図においては説明の便宜上、タンク４の脚部を着色して示している。
【００４４】
図１０に示すように、タンク４における側部貯留部４４ｂ，４４ｄの下部には、それぞれ脚部６６が設けられている。脚部６６は、各側部貯留部と一体に設けられているが、それ自体は貯留部を構成していない。この左右一対の脚部６６により、タンク４が床面に対して安定に設置される。また、左右一対の側部貯留部４４ｂ，４４ｄと左右一対の脚部６６とに挟まれる空間により上述した段付挿通部６２が形成される。本実施形態において、前部貯留部４４ａと側部貯留部４４ｂ，４４ｄとが本体４４（タンク本体）を構成する。
【００４５】
各脚部６６は、小幅にて後部貯留部４４ｃから各側部貯留部の側壁に沿うように前方に延在するが、各側部貯留部の後半部にのみ位置する。すなわち、各側部貯留部の前半部と各脚部との間には段差６８が設けられており、タンク４の下面における段差６８よりも前方が開放されている。このようにして、本体４４の下部には排水ソケット１０の前方に突き抜けるようにして開口する収容スペース（開放空間）が形成されている。それにより、排水ソケット１０の取付部７２とタンク４との干渉が確実に防止される。一対の脚部６６の対向面は互いに平行であり、その間隔が常に一定とされている。
【００４６】
脚部６６の基端部、つまり後部貯留部４４ｃとの連結部近傍の下面には、所定の深さおよび前後幅で切り欠かれた切欠部６９（「嵌合部」として機能する）が設けられている。左右一対の切欠部６９には、上述した排水ソケット１０の嵌合部８２が嵌合される。切欠部６９の深さおよび幅は、それぞれ嵌合部８２の厚さ、幅にほぼ等しい。
【００４７】
以上のような構成により、タンク４と排水ソケット１０とを安定に組みつけることができる。また、本実施形態のようにリフォームトイレ仕様の排水ソケット１０に対してもタンク４を容易に組み付け可能とされ、タンク４の汎用性が高められる。
【００４８】
すなわち、図１１に示すように、嵌合部８２が切欠部６９と嵌合することにより、排水ソケット１０とタンク４との位置決めがなされ、両者が安定に組みつけられる。後部貯留部４４ｃは、排水ソケット１０の接続部７８よりも下方に位置する。また、リフォームトイレ仕様では図中点線にて示すように、アジャスタ部７４の長さが調整されることによりタンク４に対する取付部７２の相対位置が変化し得るところ、タンク４の挿通部６２が収容スペースとして柔軟に機能する。すなわち、図１１（ａ）および（ｃ）に示すように、取付部７２の長さを変化させたとしても、取付部７２のフランジ部８０がタンク４に干渉することはない。
【００４９】
なお、図示の例では、フランジ部８０の幅が一対の脚部６６の間隔よりもやや小さくされているが、変形例においては、フランジ部８０の幅を脚部６６の間隔よりも大きくしてもよい。その場合、フランジ部８０が脚部６６に干渉する手前の位置まではアジャスタ部７４を短くすることができる。このような場合でも、タンク４の直下の収容スペースに排水ソケット１０の取付部７２を収容することができる。
【００５０】
次に、大便器１の洗浄動作について説明する。
便器洗浄の待機状態において図示しない洗浄スイッチが操作されると、図示しない制御部によりポンプ８が駆動される。それにより、タンク４内の洗浄水が汲み上げられ、配管６を介して便鉢部１２に吐水される。設定水量の洗浄水が吐水され、タンク４内の水位が最低水位になると、ポンプ８の駆動が停止される。なお、このようにタンク４内の水位が低下する際、吸排気部５５からタンク４内に空気が吸気されるため、タンク４内に貯水された洗浄水が流出管５８から良好に流出する。ポンプ８の駆動が停止すると、逆止弁５０が吸水管４９の連通口を閉鎖し、洗浄水が上流側へ逆流することを阻止する。
【００５１】
ポンプ８の駆動が終了すると、図示しない導水管に設けられた開閉弁が開弁し、洗浄水が流入管５２を介してタンク４内に流入する。それによりタンク４内の水位が上昇すると、導出部４８の上方に空気が集まるが、この空気は空気抜き用のホース６０を介して吸排気部５５側に排気される。このため、タンク４内に洗浄水を良好に貯水することができる。そして、タンク４内の水位が上昇し、設定水位になると、フロートスイッチ５４が検知信号を出力し、導水管に設けられた開閉弁が閉弁される。このようにしてタンク４内が満水状態となり、便器洗浄の待機状態に復帰される。
【００５２】
次に、大便器１の施工方法について説明する。
図１２および図１３は、大便器１の施工方法を表す図である。図１２は斜め前方からみた様子を示し、図１３は斜め後方からみた様子を示している。各図（ａ）〜（ｃ）は、施工作業の流れを示している。なお、本実施形態では、トイレのリフォームに際して既設の排水管２４の位置を変更できない状況での施工、つまりいわゆるリフォームトイレ仕様の施工方法について説明する。
【００５３】
大便器１の施工に際しては、排水ソケット１０を位置決めの基準としてタンク４、便器本体２を順次組み付ける手法を採用する。すなわち、従来のようにタンク４を便器本体２に組み付けた状態で施工するのではなく、タンク４と便器本体２とを個別に順次設置する手法を採用する。
【００５４】
まず、図１２（ａ）に示すように、予め床面２２に設置された排水管２４に対し、排水ソケット１０を組み付ける。このとき、既設の排水管２４の引き出し位置と大便器１の構造とに基づき、アジャスタ部７４の長さを調整しておく。そして、取付部７２を排水管２４に固定することにより、排水ソケット１０を床面２２に設置する。
【００５５】
続いて、図１２（ｂ）に示すように、排水ソケット１０を基準にタンク４を組み付ける。すなわち、上述のように切欠部６９と嵌合部８２を嵌合させるようにしてタンク４を排水ソケット１０に連結し、このタンク４と排水ソケット１０との連結ユニットをボルト９０を介して床面２２に固定する。このとき、図１３（ａ）に示すように、排水ソケット１０の接続部７８がタンク４の挿通孔６４に挿通される。それにより、タンク４が排水ソケット１０に組み付けられ、床面２２に対して設置される。
【００５６】
続いて、図１２（ｃ）に示すように、便器本体２をタンク４に対して組み付ける。このとき、排水ソケット１０の接続口２０が上方に向けて露出した状態にあり、また、オーバーフロー接続部５６の接続口と、流出管５８の接続口も上方に開口した状態となっている。一方、図１３（ｂ）に示すように、排水管部９、給水管部３０および接続管４０の各先端は、いずれも下方に開口している。このため、排水管部９を目視しながら排水ソケット１０の接続口２０に挿入していくと、給水管部３０と流出管５８とが自ずと接続され、接続管４０とオーバーフロー接続部５６が自ずと接続されるようになる。すなわち、便器本体２をタンク４の上方から被せるように取り付けることで、各配管の接続が極めて効率良くなされるようになる。
【００５７】
以上のように、便器本体２を排水ソケット１０を基準に組み付けることで、タンク４が便器本体２に組み付けられ、便器本体２が床面２２に対して設置される。このようにして大便器１の施工がほぼ完了する。その後、図示しない便座、便蓋、局部洗浄装置、サイドパネル等を組み付けることにより大便器１の設置が完了する。
【００５８】
以上に説明したように、本実施形態では、排水ソケット１０を基準としてタンク４、便器本体２の順に個別に配設される。このため、前段工程においてタンク４と排水ソケット１０との干渉を防止することができる。その際、排水ソケット１０とタンク４との位置決めが両者の嵌合構造により自ずと実現されるため、タンク４の設置が容易である。
【００５９】
また、このように先にタンク４を設置する構成としたため、後段工程において便器本体２を設置する際にその後壁に露出した排水管部９を容易に視認することができる。タンク４の中央には排水ソケット１０の接続口２０が露出するため、その排水管部９を目視しながらその接続口２０に容易に挿入することができる。このとき、既にタンク４の位置決めがなされているため、便器本体２をタンク４との干渉を避けながら設置することができる。さらに、便器本体２側の配管の接続口が下方に開口し、タンク４側の配管の接続口が上方に開口する構成としたため、便器本体２をタンク４に対して上方から組み付けるだけで両者の配管接続をほぼ完了させることができる。すなわち、便器本体２の設置作業が便器本体２とタンク４との組み付け作業を兼ねることになり、作業効率を向上させることができる。
【００６０】
さらに、本実施形態では、タンク４を排水ソケット１０に対して挿通する形とし、便器本体２の下部および後部のスペースを有効活用するようにしたため、タンク４の容量を大きくしつつ、大便器１のローシルエットを実現することができる。また、タンク４の下面に前方に向けて延在する段付挿通部６２を設け、排水ソケット１０の形状変化（長さ変化）を許容する構成としたことで、タンク４の汎用性が実現されている。このことは、タンク４の形状とソケット本体７０の形状とを合わせておきさえすれば、排水管２４がいかなる位置にあろうとも概ね対応できることを意味する。すなわち、タンクについては排水ソケットの種類に応じて用意する必要がなく、また、排水ソケットについてはその部品の共用化を図ることができる。その結果、施工にかかるコスト削減を実現することができる。
【００６１】
［第２実施形態］
本実施形態の施工構造は、排水ソケットの構成が異なる点を除き、第１実施形態と同様の構成を有する。このため、以下において第１実施形態と同様の構成部分については同一の符号を付すなどして、その説明を省略する。図１４は、第２実施形態に係る大便器の構造およびその施工構造を表す断面図である。図１５は、排水ソケットの構成を示す図である。（ａ）は正面図であり、（ｂ）は左側面図であり、（ｃ）は平面図であり、（ｄ）は底面図である。（ｅ）は、排水ソケットとタンクとが取り付けられた状態を底面側からみた図である。
【００６２】
図１４に示すように、本実施形態の施工構造は、床排水式である点では第１実施形態と同様であるが、排水ソケット２１０にアジャスタ部は設けられていない。すなわち、床面２２に設置された排水管の位置に応じて排水ソケット２１０の長さを適宜変更できる構成ではない。しかし、このような構成においても、排水ソケット２１０を基準にタンク４、便器本体２を個別に順次設置する施工方法は有効に機能する。
【００６３】
図１５（ａ）〜（ｄ）に示すように、排水ソケット２１０は、排水管部９の下流端を受け入れるソケット本体２７０と、排水管２４に接続されるとともに床面２２に固定される取付部２７２とを有する（図１４参照）。
【００６４】
ソケット本体２７０は、合成樹脂材からなる配管部２７６の上端部に接続部７８を組み付けて構成される。一方、取付部２７２は合成樹脂材からなり、配管部２７６となめらかにつながる配管部２７８と、その配管部２７８の下半部を覆うようにして支持する封止部２７９とを有する。封止部２７９は、配管部２７８と同心状に設けられ、床面２２に形成された孔を上方から封止する。
【００６５】
封止部２７９の下端にはフランジ部２８０が設けられ、床面２２に対して安定に固定できるようにされている。フランジ部２８０には、位置決め用の嵌合部２８２が一体に設けられている。嵌合部２８２は、左右に延在する板状体からなり、タンク４の下部側面と相補形状となる湾曲形状を有する。すなわち、図１５（ｅ）に示すように、タンク４における流入出部４６の下端部の前面形状が、嵌合部２８２の形状とほぼ対応する。このため、タンク４を排水ソケット２１０に組み付けると、排水ソケット２１０に対するタンク４の位置、つまりタンク４の施工位置が自ずと定まるようになる。
【００６６】
なお、タンク４の一対の切欠部６９には、それぞれねじ孔２９０が設けられており、嵌合部２８２におけるそのねじ孔２９０との対向部には、ねじ挿通孔２９２が設けられている。ねじ挿通孔２９２は段付孔とされており、ねじの頭部を収容可能に構成されている。タンク４と排水ソケット２１０とは、両者を嵌合させてねじ接合することにより、連結ユニットとすることができる。
【００６７】
本実施形態においても、大便器１の施工に際し、第１実施形態と同様の手法を採用することができる。本実施形態では、排水ソケット２１０の調整を想定していないため、リフォームトイレ仕様への適用には若干制約がかかるものの、その点を除けば第１実施形態と同様の作用効果を得ることができる。
【００６８】
［第３実施形態］
本実施形態の施工構造は、壁排水式である点で第１実施形態と異なる。以下においては第１実施形態との相異点を中心に説明する。図１６は、第３実施形態に係る大便器の構造およびその施工構造を表す断面図である。図１７は、排水ソケットの構成を示す図である。（ａ）は背面図であり、（ｂ）は右側面図であり、（ｃ）は平面図であり、（ｄ）は底面図である。（ｅ）は、排水ソケットとタンクとが取り付けられた状態を底面側からみた図である。
【００６９】
図１６に示すように、本実施形態の施工構造は、壁排水式であるため、排水ソケット３１０の排出口３１２の向きが接続口２０に対して直角方向となる。すなわち、図１７（ａ）〜（ｄ）に示すように、排水ソケット３１０は、合成樹脂製の曲がり管として形成されたソケット本体３７０と、ソケット本体３７０を下方から支持する支持部３７２とを有する（図１６参照）。排水ソケット３１０の上端部には接続部７８が組み付けられている。
【００７０】
支持部３７２の下端にはフランジ部３８０が設けられ、床面２２に対して安定に固定できるようにされている。フランジ部３８０には、位置決め用の嵌合部３８２が一体に設けられている。嵌合部３８２は、左右に延在する板状体からなり、タンク４の下部側面と相補形状となる湾曲形状を有する。すなわち、図１７（ｅ）に示すように、タンク４における流入出部４６の下端部の前面形状が、嵌合部３８２の形状とほぼ対応する。このため、タンク４を排水ソケット３１０に組み付けると、排水ソケット３１０に対するタンク４の位置、つまりタンク４の施工位置が自ずと定まるようになる。
【００７１】
なお、嵌合部３８２におけるタンク４のねじ孔２９０との対向部には、ねじ挿通孔２９２が設けられている。タンク４と排水ソケット３１０とは、両者を嵌合させてねじ接合することにより、連結ユニットとすることができる。
【００７２】
次に、本実施形態における大便器１の施工方法について説明する。
図１８は、大便器１の施工方法を表す図である。（ａ）〜（ｃ）は、施工作業の流れを示している。本実施形態においても、排水ソケット３１０を位置決めの基準としてタンク４、便器本体２を順次組み付ける手法を採用する。ただし、排水ソケット３１０を壁面の排水管３２４に接続する前に、排水ソケット３１０とタンク４とを組み付ける点で第１実施形態とは異なる。
【００７３】
すなわち、図１８（ａ）に示すように、まず排水ソケット３１０とタンク４とをねじ接合により組み付けて連結ユニット３００を形成する。そして、図示しない壁面に予め設置された排水管３２４に対して排水ソケット３１０を接続し、この連結ユニット３００を床面に対してボルト９０により締結する。
【００７４】
続いて、図１８（ｂ）に示すように、便器本体２をタンク４に対して組み付ける。このとき、排水管部９を目視しながら排水ソケット３１０の接続口２０に挿入していくと、給水管部３０と流出管５８とが自ずと接続され、接続管４０とオーバーフロー接続部５６が自ずと接続されるようになる。すなわち、便器本体２をタンク４の上方から被せるように取り付けることで、各配管の接続が極めて効率良くなされるようになる。
【００７５】
以上のように、便器本体２を排水ソケット３１０を基準に組み付けることで、タンク４が便器本体２に組み付けられ、便器本体２が図示しない壁面に対して設置される。このようにして大便器１の施工がほぼ完了する。その後、図示しない便座、便蓋、局部洗浄装置、サイドパネル等を組み付けることにより大便器１の設置が完了する。
【００７６】
このように、本実施形態の施工方法は、壁排水への適用である点で第１実施形態とは異なるが、大便器１の施工に際して排水ソケット３１０を基準にタンク４、便器本体２を順次設置する点では第１実施形態と同様である。このため、第１実施形態と同様の作用効果を得ることができる。
【００７７】
［第４実施形態］
本実施形態は、タンクと排水ソケットとの連結構造が第３実施形態と異なる。以下においては第３実施形態との相異点を中心に説明する。図１９は、第４実施形態に係る連結ユニットの構造を表す斜視図である。
【００７８】
本実施形態では、排水ソケット４１０とタンク４０４とを組み付けて連結ユニット４００を構成する。タンク４０４は、挿通孔６４の上下方向中間部に内向きにやや突出した平面視Ｕ字状のベース部４１２を有する。このベース部４１２には、一対のねじ孔４１４が設けられている。
【００７９】
一方、排水ソケット４１０は、ソケット本体３７０と、ソケット本体３７０を下方から支持する支持部４７２とを有する。排水ソケット４１０の上端部には接続部７８が組み付けられている。ソケット本体３７０の前面、つまり排出口３１２とは反対側面からは前方に向けて延出する板状の接合部４２０が設けられている。接合部４２０は、挿通孔６４の内周面に沿う概略半円形状をなし、ベース部４１２に載置される。接合部４２０におけるねじ孔４１４との対向部には、ねじ挿通孔４２２が設けられている。
【００８０】
このような構成により、排水ソケット４１０は、タンク４０４の上方から組み付けられる。このとき、接合部４２０がねじ挿通孔４２２とねじ孔４１４とを合わせるようにしてベース部４１２に載置され、ねじ４２４により締結固定される。このように、排水ソケット４１０をタンク４０４に対して挿入して嵌合させ、両者を締結することにより、両者の位置決めがなされる。
【００８１】
本実施形態においても、排水ソケット４１０とタンク４０４とが予め連結されてユニット化され、その連結ユニット４００と便器本体２（図１６参照）とを組み付けるようにして大便器が構成される。このため、タンク４０４と排水ソケット４１０とを干渉させることなく大便器を排水管に設置することができる。
【００８２】
［第５実施形態］
本実施形態は、タンクと排水ソケットとの連結構造が第３，第４実施形態と異なる。以下においては第３，第４実施形態との相異点を中心に説明する。図２０は、第５実施形態に係る連結ユニットの構造を下方からみた斜視図である。（ａ）は連結ユニットの組みつけ前の状態を示し、（ｂ）は連結ユニットの組みつけ後の状態を示す。
【００８３】
本実施形態では、排水ソケット５１０とタンク５０４とを組み付けて連結ユニット５００を構成する。タンク５０４の底部の左右には、排水ソケット５１０を嵌合させて固定するための嵌合部５２０が設けられている。嵌合部５２０は、第３実施形態の切欠部６９よりも深く切り欠かれた切欠部５２２と、切欠部５２２の下方位置にて後部貯留部４４ｃの前方に突設された支持部５２４とからなる。
【００８４】
一方、排水ソケット５１０の左右には、上向きに凸となる段差形状の嵌合部５８２が設けられている。タンク５０４と排水ソケット５１０とを組み付ける際には、図２０（ａ）に示すように、タンク５０４の下方から排水ソケット５１０を挿通する。そして、図２０（ｂ）に示すように、嵌合部５８２を嵌合部５２０に嵌め込むことにより、両者を固定することができる。このように、排水ソケット５１０をタンク５０４に対して挿入して嵌合させることにより、自ずと両者の位置決めがなされる。
【００８５】
本実施形態においても、排水ソケット５１０とタンク５０４とが予め連結されてユニット化され、その連結ユニット５００と便器本体２（図１６参照）とを組み付けるようにして大便器が構成される。このため、タンク５０４と排水ソケット５１０とを干渉させることなく大便器を排水管に設置することができる。
【００８６】
［第６実施形態］
本実施形態は、タンクの構造が第２実施形態と異なる。以下においては第２実施形態との相異点を中心に説明する。図２１は、第６実施形態に係るタンクを表す斜視図である。（ａ）はタンクを排水ソケットとの位置関係にて示し、（ｂ）はタンクを排水ソケットおよび便器本体との位置関係にて示す。
【００８７】
本実施形態のタンク６０４は、その下部において、排水ソケット２１０の前方に配置される前部貯留部６４４ａと、排水ソケット２１０の後方に配置される流入出部６４６とを、管状の連通部６４４ｂにより前後に接続して構成される。ここで、前部貯留部６４４ａは「第１タンク部」として機能し、流入出部６４６は「第２タンク部」として機能し、連通部６４４ｂは「第３タンク部」として機能する。連通部６４４ｂは、排水ソケット２１０の片側（右側）にのみ設けられている。
【００８８】
流入出部６４６は、直方体形状とされ、第１実施形態のようなＵ字状のものよりも容積が大きくされている。すなわち、流入出部６４６は、第１実施形態における導入部４７と導出部４８とを左右につなげるとともに後部貯留部４４ｃを一体化したような構成とされている。後部貯留部４４ｃと前部貯留部６４４ａとは、その内部が連通部６４４ｂを介して連通している。
【００８９】
なお、本実施形態では、第１実施形態と同様にタンク６０４と排水ソケット２１０とは固定されないが、第２〜第５実施形態のように両者を固定して連結ユニットとしてもよい。また、本実施形態では、連通部６４４ｂを、排水ソケット２１０の片側にのみ設けたが、左右両側に設けてもよい。
【００９０】
本実施形態においても、大便器の施工に際して排水ソケット２１０を基準にタンク６０４、便器本体２を順次設置することができる。それにより、第２実施形態と同様の作用効果を得ることができる。本実施形態では、タンク６０４の下部に環状連通路は形成されないが、タンク６０４の中央に排水ソケット２１０を取り囲む態様の挿通部は形成される。
【００９１】
以上、本発明の好適な実施形態について説明したが、本発明はその特定の実施形態に限定されるものではなく、本発明の技術思想の範囲内で種々の変形が可能であることはいうまでもない。
【００９２】
上記実施形態では、タンクと排水ソケットとをねじ接合や嵌合構造により固定する例を示したが、他の組み付け方法を採用してもよい。図２２は、変形例に係る連結ユニットを表す斜視図である。（ａ）は一つの変形例に係る連結ユニットを上方からみた斜視図であり、（ｂ）は他の変形例に係る連結ユニットを下方からみた斜視図である。
【００９３】
例えば図２２（ａ）に示すように、タンク４と排水ソケット１０とを結束バンド７１０により連結して連結ユニット７００としてもよい。結束バンド７１０は、弾性を有するゴムなどでもよいし、弾性を有しない紐などでもよい。あるいは、図２２（ｂ）に示すように、タンク４と排水ソケット１０とを粘着テープ７３０により連結して連結ユニット７２０としてもよい。
【００９４】
上記実施形態では、脚部６６が貯留部を構成しない構成を示した。変形例においては、脚部６６が貯留部としての機能を有するようにしてもよい。それにより、タンクの容量をより大きく確保することが可能となる。その場合、タンクと脚部６６とを樹脂材により一体成形してもよい。
【００９５】
上記第１実施形態では、床排水式の大便器の施工において、排水管に対して排水ソケットを組み付けた後、タンクを設置する構成を示した。変形例においては、排水ソケットとタンクとを組み付けて連結ユニットとした後、その連結ユニットを排水管に対して接続するようにしてもよい。
【００９６】
上記第３〜第５実施形態では、壁排水式の大便器の施工において、排水ソケットとタンクとを組み付けて連結ユニットとした後、その連結ユニットを排水管に対して接続する構成を示した。これは、タンクの下部が環状態様をなすため、排水ソケットを排水管に接続した後ではタンクを上方から組み付けることができないからである。変形例においては、排水ソケットを排水管に接続した後でも組み付けられるようタンクの形状を変更したうえで、第１実施形態と同様に排水管に対して排水ソケットを組み付けた後、タンクを設置するようにしてもよい。あるいは、排水ソケットに対してタンクを下方から組み付けられるよう排水管と排水ソケットとの位置関係を設定し、排水管に対して排水ソケットを組み付けた後、タンクを設置するようにしてもよい。
【００９７】
上記第１〜第５実施形態では、タンクの下部において四方の貯留部（４４ａ〜４４ｄ）が環状につながり、排水ソケットを取り囲む構成を示した。変形例においては、タンクの下部が環状をなすものの、例えば前部貯留部の一部が分断されたり、後部貯留部の一部が分断されるなど、環状の一部が分断された構成としてもよい。このような構成によっても、排水ソケットを取り囲む態様の挿通孔は形成される。
【００９８】
上記実施形態では、排水ソケットとタンクとを固定する構成を説明した。変形例においては、排水ソケットを位置決めの基準としてタンクを配置するものの、両者を固定しない構成としてもよい。
【００９９】
上記実施形態では述べなかったが、タンクの脚部を貯留部と一体成形してもよいし、貯留部とは別体にて構成した後に組み付けてもよい。後者の場合、脚部を断熱材にて構成してもよい。
【０１００】
上記実施形態では、タンクの下面に段付挿通部を形成し、その前端が開放される構成を例示した。変形例においては、前部貯留部を前面視環状の貯留部とし、その環状部により挿通孔を形成してもよい。そして、排水ソケットのアジャスタ部がその挿通孔を挿通するように構成し、長さ調整可能となるようにしてもよい。このような構成においても、排水ソケットの前方に突き抜けるようにして開口する収容スペースが形成される。
【０１０１】
なお、本発明は上記実施形態や変形例に限定されるものではなく、要旨を逸脱しない範囲で構成要素を変形して具体化することができる。上記実施形態や変形例に開示されている複数の構成要素を適宜組み合わせることにより種々の発明を形成してもよい。また、上記実施形態や変形例に示される全構成要素からいくつかの構成要素を削除してもよい。
【符号の説明】
【０１０２】
１  大便器、  ２  便器本体、  ４  タンク、  ６  配管、  ８  ポンプ、  ９  排水管部、  １０  排水ソケット、  １２  便鉢部、  ２０  接続口、  ２４  排水管、  ３０  給水管部、  ３２，３４  分岐管部、  ４０  接続管、  ４４  本体、  ４４ａ  前部貯留部、  ４４ｂ  側部貯留部、  ４４ｃ  後部貯留部、  ４４ｄ  側部貯留部、  ５６  オーバーフロー接続部、  ５８  流出管、  ６２  段付挿通部、  ６４  挿通孔、  ６６  脚部、  ６８  段差、  ６９  切欠部、  ７０  ソケット本体、  ７２  取付部、  ７４  アジャスタ部、  ７８  接続部、  ８２  嵌合部、  ２１０  排水ソケット、  ２７０  ソケット本体、  ２７２  取付部、  ２８２  嵌合部、  ３００  連結ユニット、  ３１０  排水ソケット、  ３１２  排出口、  ３２４  排水管、  ３７０  ソケット本体、  ３８２  嵌合部、  ４００  連結ユニット、  ４０４  タンク、  ４１０  排水ソケット、  ４２０  接合部、  ５００  連結ユニット、  ５０４  タンク、  ５１０  排水ソケット、  ５２０  嵌合部、  ５２２  切欠部、  ５２４  支持部、  ５８２  嵌合部、  ６００  連結ユニット、  ６０４  タンク、  ６２０  結束バンド、  ６４４ａ  前部貯留部、  ６４４ｂ  連通部、  ６４４ｃ  後部貯留部、  ７００  連結ユニット、  ７１０  結束バンド、  ７２０  連結ユニット、  ７３０  粘着テープ。
【図１】
2015175146.tif 000003
【図２】
2015175146.tif 000004
【図３】
2015175146.tif 000005
【図４】
2015175146.tif 000006
【図５】
2015175146.tif 000007
【図６】
2015175146.tif 000008
【図７】
2015175146.tif 000009
【図８】
2015175146.tif 000010
【図９】
2015175146.tif 000011
【図１０】
2015175146.tif 000012
【図１１】
2015175146.tif 000013
【図１２】
2015175146.tif 000014
【図１３】
2015175146.tif 000015
【図１４】
2015175146.tif 000016
【図１５】
2015175146.tif 000017
【図１６】
2015175146.tif 000018
【図１７】
2015175146.tif 000019
【図１８】
2015175146.tif 000020
【図１９】
2015175146.tif 000021
【図２０】
2015175146.tif 000022
【図２１】
2015175146.tif 000023
【図２２】
2015175146.tif 000024